(57)【特許請求の範囲】
【請求項１】
略円板状のフレームと、前記フレームを覆うカバーとからなり、上面が打撃面になった電子パッドであって、
前記フレームに、前記打撃面が打撃を受けたときの衝撃や前記フレームが振動したときの振動を検出するセンサを設置するとともに、前記フレームにおける上面の打撃面側から下面の外周縁部側を覆うようにして前記カバーを前記フレームに取り付け、
前記カバーにおける前記フレームの下面に位置し、かつ前記センサの設置位置から円周方向に外れた部分に、前記フレームの下面に位置する前記カバーの他の部分よりも肉厚が薄くなった円弧状の薄肉部を、前記外周縁部に沿って形成したことを特徴とする電子パッド。
【請求項２】
前記薄肉部を、前記カバーにおける使用者側から見た後部側部分に形成した請求項１に記載の電子パッド。
【請求項３】
前記フレームの下面に、中央部と、前記中央部から外周側三方に一定間隔を保って延びる３個の腕部とで構成された裏面カバーを設け、前記薄肉部を、前記３個の腕部のうちの２個の腕部間に対応する部分に配置した請求項１または２に記載の電子パッド。
【発明の詳細な説明】
【技術分野】
【０００１】
本発明は、電子打楽器に使用される電子パッドに関する。
【背景技術】
【０００２】
従来から、電子シンバルやハイハット形電子シンバルのように円板状のパッドで打撃面が構成された電子打楽器が用いられている（例えば、特許文献１参照）。この電子打楽器は、円板状のパッドで打撃面が構成された電子パッドを備えており、電子パッドの打撃面が打撃された際に電子パッドに発生する振動をセンサが検出し、センサの検出値に応じてスピーカーから打音を発生するように構成されている。また、電子パッドは、上方に凸曲面をなす円板状のフレーム（金属製基体）の上面に、打感や消音効果を高めるためのゴム製のカバーを被着して構成されている。
【特許文献１】特開２００３−３１６３５５号公報
【発明の開示】
【０００３】
前述した電子パッドでは、カバーが、フレームの上面から下面の周縁部近傍部分までを覆うことのできる形状に形成されている。そして、カバーの上面における外周側部分と、フレームの下面側に回り込んだカバーの下面側部分とでフレームの外周側部分を上下から挟むことによりカバーがフレームから外れないようにしている。このようなカバーは金型を用いて成形することが一般的であり、カバーを成形する際には、フレームと同様の形状の金型の表面にゴムを充填して固化することによりカバーを成形し、カバーが成形されたのちにカバーを金型から取り外すことが行われる。
【０００４】
しかしながら、このカバーを金型から取り外すときに、カバーにおける外周下面側の回り込み部分を外側水平方向から上方に引っ張って上方に反転させながら金型から取り外すことが行われる。このため、カバーの外周側部分を大きな力で引っ張り過ぎると、カバーの上面部と下面の回り込み部分との境界部が裂けてしまうことがある。また、カバーを、一旦フレームに取り付けたのちに、フレームから外したり取り付けたりする際にも、同様の裂けが生じることがある。このような裂けを防止するためには、カバーの肉厚を薄くして伸びやすくすることも考えられるが、これによると、演奏者がミュートのために電子パッドを掴んだときの感触が悪くなったり、カバーの強度が低下したりするという問題が生じる。
【０００５】
本発明は、前述した問題に対処するためになされたもので、その目的は、カバーの成形時に裂けが生じることを防止できるとともに、演奏時の感触を損ねることのない電子パッドを提供することである。
【０００６】
前述した目的を達成するため、本発明に係る電子パッドの構成上の特徴は、略円板状のフレームと、フレームを覆うカバーとからなり、上面が打撃面になった電子パッドであって、フレームに、打撃面が打撃を受けたときの衝撃やフレームが振動したときの振動を検出するセンサを設置するとともに、フレームにおける上面の打撃面側から下面の外周縁部側を覆うようにしてカバーをフレームに取り付け、カバーにおけるフレームの下面に位置し、かつセンサの設置位置から円周方向に外れた部分に、フレームの下面に位置するカバーの他の部分よりも肉厚が薄くなった円弧状の薄肉部を、外周縁部に沿って形成したことにある。
【０００７】
前述したように構成した本発明に係る電子パッドでは、カバーにおけるフレームの下面に回りこむ部分の所定部分を薄肉部にしている。したがって、カバーの成形時に、成形されたカバーを金型から外すときに、薄肉部を引っ張って上方に反転させながらカバーをフレームから取り外すことにより、カバーに裂けを生じさせることなく取り外すことができる。また、カバーにおけるフレームの下面に回りこむ部分の薄肉部以外の部分は、十分な強度を備えた適正な厚みにしておく。
【０００８】
これによると、薄肉部が形成される部分がフレームの下面に位置する部分の一部であるため、演奏時にミュート操作をする場合には、肉厚部分を掴むことにより感触を損ねることがなくなるとともに、カバーの強度も適度に維持できる。また、カバーにおけるフレームの下面に回りこむ部分の薄肉部以外の部分は、適度な厚みにしておくだけでなく、表面を滑らかな曲面または平面にしておくことが好ましい。これによると、肉厚部分を掴むときの感触がさらによくなる。また、カバーの上面部と下面部との境界における内面は角部のない滑らかな曲面に形成することが好ましく、これによると、さらにカバーの上面部と下面部との境界に亀裂が生じ難くなる。
【０００９】
また、本発明に係る電子パッドの他の構成上の特徴は、薄肉部を、カバーにおける使用者側から見た後部側部分に形成したことにある。通常、使用者（演奏者）がミュート操作のために電子パッドを掴む場合には、使用者の近くに位置する電子パッドの前部側部分またはその近傍を掴む。このため、使用者（演奏者）がミュート操作のために電子パッドを掴んだときには、その掴んだ部分が電子パッドにおけるカバーの肉厚が適正に形成された部分になり、掴んだときの感触が悪くなることはない。
【発明を実施するための最良の形態】
【００１０】
以下、本発明に係る電子パッドを図面を用いて説明する。図１ないし図３は、本発明の一実施形態に係る電子パッドＡを支持部３０に取り付けた状態を示している。この電子パッドＡは、図４および図５に示したフレーム１０と、図６および図７に示した本発明に係るカバーとしての表面カバー２０とを組み付けることにより本体部分が構成されており、支持部３０に略水平でかつ揺動可能な状態で取り付けられている。フレーム１０は、表面カバー２０を確実に保持できるとともに、表面カバー２０を介して打撃を受け止めることができるように、硬質のポリプロピレンからなる成形体で構成されており、中央側が外周側よりも上方に向ってやや盛り上がった凸曲面の円板状に形成されている。そして、フレーム１０の中心にフレーム１０の上面から下面に貫通する貫通孔１１が形成されている。
【００１１】
図４は、フレーム１０の上面を示しており、図４に示したように、フレーム１０の上面における貫通孔１１の周囲には、上方に突出した略円錐台形の被支持部１２（図８参照）が形成されている。そして、被支持部１２の後部（演奏者（使用者）の位置から見た後部であり、以下、図１ないし図８においては、図示の左側を前部、右側を後部として説明する。）には、後方に延びる後方突出部１２ａが形成され、その後方突出部１２ａに上下に貫通する楕円状の回転防止孔１１ａが設けられている。また、被支持部１２の周囲における後方突出部１２ａが位置する部分を除いた部分には、係合溝部１３が形成されている。
【００１２】
すなわち、図８に示したように、被支持部１２の外周側には、被支持部１２と間隔を保って略環状の係合壁部１３ａが形成されており、被支持部１２の傾斜面になった外周面と係合壁部１３ａとの間に係合溝部１３が形成されている。そして、フレーム１０の上面における係合壁部１３ａの外周部に、Ｃ字状のシートセンサ１６が、図８に示したように配置され、その上面に弾性を備えたシリコンゴムからなる緩衝部材１４が設置されている。シートセンサ１６および緩衝部材１４は、後方突出部１２ａおよびその近傍部分を除いた係合壁部１３ａの外周部分に係合壁部１３ａを囲むように配置されている。
【００１３】
緩衝部材１４は、Ｃ字状に形成された板状の底面部１４ａと、底面部１４ａの上面に、円周方向に一定の間隔で配置された複数の突出片１４ｂとを一体にして構成されている。各突出片１４ｂは、底面部１４ａの内周側に位置する部分の高さが高く、底面部１４ａの外周側に位置する部分の高さが低くなった略三角形の板状に形成されており、底面部１４ａの径方向に放射状に配置されている。また、底面部１４ａの下面における内周縁部と外周縁部との間には円周に沿ってＣ字状の溝状凹部が形成されており、緩衝部材１４は、この溝状凹部内にシートセンサ１６を位置させた状態でフレーム１０の上面に設置されている。
【００１４】
そして、フレーム１０の上面における係合壁部１３ａおよび後方突出部１２ａの外周部分で緩衝部材１４が配置されていない部分には、フレーム１０の本体部分と一体になった複数の突出片１４ｃが形成されている。この突出片１４ｃの上部側部分は、緩衝部材１４の突出片１４ｂと略同一の形状でかつ同間隔に形成されており、突出片１４ｂと突出片１４ｃとで一定間隔で配置され、高さが同じになった環状の突出片が構成されている。また、フレーム１０の上面における緩衝部材１４および突出片１４ｃの外周部分に、円周方向に一定間隔を保って３個の円弧状の位置ずれ防止凹部１５が形成されている。この位置ずれ防止凹部１５のうちの一つは、突出片１４ｃの後部側に配置され、他の二つは、各位置ずれ防止凹部１５の間隔が貫通孔１１を中心として１２０度になるように配置されている。
【００１５】
また、フレーム１０の上面における外周側部分には、前部側に位置する細長いＣ字形のシートセンサ１６ａと、後部側に位置しシートセンサ１６ａよりも長さが短い円弧状の細長いシートセンサ１６ｂとが互いの端部間に僅かな間隔を設けて貼り付けられている。シートセンサ１６ａの長さは、シートセンサ１６ｂの長さの２倍よりもやや長くなっており、シートセンサ１６ａとシートセンサ１６ｂとで略環状のシートセンサが形成されている。また、シートセンサ１６ａとシートセンサ１６ｂとの対向する右側（演奏者側から見て右側で図４では下側）の端部近傍には、それぞれフレーム１０の中心側に延びるセンサ導出部１６ｃ，１６ｄが接続されている。
【００１６】
なお、図示していないが、フレーム１０におけるセンサ導出部１６ｃ，１６ｄの基端部と係合壁部１３ａとの間には二つの挿通穴が形成されており、センサ導出部１６ｃ，１６ｄの先端部は、この挿通穴を挿通してフレーム１０の下面側に延びている。また、フレーム１０における前述したシートセンサ１６が設置された部分にも挿通穴が形成されており、このシートセンサ１６に接続されたセンサ導出部（図示せず）は、この挿通穴を挿通してフレーム１０の下面側に延びている。
【００１７】
フレーム１０の下面には、図５に示したように、信号出力部１７とピエゾセンサ１８とが設置されており、シートセンサ１６のセンサ導出部の先端部およびセンサ導出部１６ｃ，１６ｄの先端部は信号出力部１７に接続されている。また、信号出力部１７は接続線１７ａを介してピエゾセンサ１８に接続されている。シートセンサ１６、シートセンサ１６ａ，１６ｂおよびピエゾセンサ１８は、打撃を受けたときの衝撃やフレーム１０が振動したときの振動に基づく圧力変化を検出して検出信号を出力する圧力センサ等のセンサで構成されている。
【００１８】
そして、信号出力部１７は、図示せぬセンサ導出部を介して送られるシートセンサ１６からの検出信号を出力端子から外部に出力するとともに、センサ導出部１６ｃ，１６ｄを介して送られるシートセンサ１６ａ，１６ｂからの検出信号を出力端子から外部に出力する。さらに、信号出力部１７は、接続線１７ａを介してピエゾセンサ１８から送られる検出信号を出力端子から外部に出力する。また、フレーム１０の下面における外周側部分には、円周に沿って環状のめくれ防止片部１９が形成されている。このめくれ防止片部１９は、図８に示したように下方に延びる垂下片と垂下片の下端部から外周側に延びる水平片とからなる断面形状が略Ｌ字状の突部で構成されている。また、フレーム１０の下面におけるめくれ防止片部１９の外周側部分には、めくれ防止片部１９と間隔を保って円周に沿って延びる細い環状の位置ずれ防止凹部１９ａが形成されている。
【００１９】
表面カバー２０は、エチレン−プロピレンゴムの成形体からなっており、フレーム１０の上面における中央の被支持部１２を除いた部分とフレーム１０の下面の周縁部近傍部分とを被覆できる略円板状の上面側部分とリング状の下面側部分とで構成されている。すなわち、表面カバー２０の上面側部分は、フレーム１０の上面に沿えるように、中央側が外周側よりも上方に向ってやや盛り上がった凸曲面を備えた形状になっており、その中心には、フレーム１０の被支持部１２および後方突出部１２ａが嵌合可能な嵌合穴２１が形成されている。
【００２０】
そして、嵌合穴２１の外周側には、フレーム１０の上面に設置された緩衝部材１４の上面を覆うことのできる大きさで、緩衝部材１４に沿えるように中心側が盛り上がったカップ表面部２２が形成されている。また、表面カバー２０におけるカップ表面部２２の外周側部分は、表面に複数の浅い凹みが形成されたディンプル形成部２３で構成され、さらにその外周側部分は、表面にレコードの溝のような同心円状の複数の溝が形成されたレイジング形成部２４で構成されている。ディンプル形成部２３は、表面カバー２０をフレーム１０に取り付けたときに、フレーム１０を介してピエゾセンサ１８の上方に位置し、レイジング形成部２４は、シートセンサ１６ａ，１６ｂの上方に位置する。
【００２１】
そして、図７に示したように、表面カバー２０の外周側部分の下部側に形成されたリング状の下面側部分は、レイジング形成部２４とで、フレーム１０の周縁部を挟み込むことのできる挟持部２５で構成されている。挟持部２５の下面における後部には、他の部分よりも薄肉になった円弧状の薄肉部２５ａが形成されている。挟持部２５は、図９に示したように、外周側部分よりも内周側部分の方が厚みが大きくなっており、上面が略水平面で下面がやや下方に膨らんだ滑らかな曲面に形成されている。
【００２２】
そして、挟持部２５の下面後部に外周側から表面カバー２０の中心に向って略水平に延びる水平面と水平面の端部から下方に滑らかに曲がりながら延びる曲面とからなる切欠き部が形成されその切欠き部が形成された部分が薄肉部２５ａを構成している。薄肉部２５ａの周縁部と、挟持部２５の他の部分とのそれぞれの境界部は、角を備えた段差が生じないように滑らかな曲面に形成されている。また、薄肉部２５ａは、薄肉部２５ａの両端部と表面カバー２０の中心とを結ぶ両仮想線間の角度が、２０度から７０度の間になる範囲に形成されている。
【００２３】
挟持部２５の薄肉部２５ａは肉厚を薄くすることにより伸びやすくなっており、挟持部２５における薄肉部２５ａ以外の部分は、適度な肉厚にされて表面カバー２０としての十分な強度を備えている。また、挟持部２５の下面内周縁部には、フレーム１０のめくれ防止片部１９が係合できる係合凹部２５ｂが形成されている。この係合凹部２５ｂにめくれ防止片部１９が係合したときに、挟持部２５の下面とめくれ防止片部１９の下端面とは同じ高さになって連なった面を形成する。さらに、挟持部２５の上面には、フレーム１０の位置ずれ防止凹部１９ａに係合できる位置ずれ防止凸部２５ｃが形成されている。
【００２４】
また、レイジング形成部２４は、カップ表面部２２およびディンプル形成部２３よりも薄肉に形成されている。そして、レイジング形成部２４の下面における位置ずれ防止凸部２５ｃに対向する部分よりも外周側に凹部が形成され、位置ずれ防止凸部２５ｃに対向する部分からやや内周側にかけての部分には、下面が凹部の天井面よりもやや下方に位置する押圧用突部２４ａが形成されている。この押圧用突部２４ａは、表面カバー２０をフレーム１０に取り付けたときに、シートセンサ１６ａ，１６ｂの上面に位置する。このとき、レイジング形成部２４の下面における押圧用突部２４ａの外周側の凹部とフレーム１０の上面との間には空間部が形成される。
【００２５】
このため、電子パッドＡにおけるレイジング形成部２４の部分を打撃すると、シートセンサ１６ａ，１６ｂは、押圧用突部２４ａを介して押圧される。また、レイジング形成部２４と挟持部２５との連結部における内面は角部のない滑らかな曲面に形成されている。表面カバー２０の下面における嵌合穴２１の周縁部には下方に突出してフレーム１０の係合溝部１３に係合できるＣ字状の係合突条２６が形成されている。この係合突条２６は、嵌合穴２１におけるフレーム１０の後方突出部１２ａに対応する後方凹部２１ａを除いた部分に形成されている。
【００２６】
そして、係合突条２６の外周面に上下に延びる複数の滑り止め用の突部２６ａが円周方向に一定間隔で設けられている。係合突条２６は、表面カバー２０をフレーム１０に取り付けるときに、被支持部１２の傾斜になった外周面に押し付けられながら係合溝部１３内に入り込む。その際、各突部２６ａの外周端部は、係合壁部１３ａの内周面に圧接して、係合突条２６が係合溝部１３から外れることを防止するとともに、表面カバー２０がフレーム１０に対して回転方向にずれることを防止する。
【００２７】
また、ディンプル形成部２３の下面におけるカップ表面部２２との境界部近傍には、円周方向に一定間隔を保って３個の円弧状の位置ずれ防止凸部２７が形成されている。この位置ずれ防止凸部２７のうちの一つは、後方凹部２１ａの後部側に配置され、他の二つは、各位置ずれ防止凸部２７の間隔が嵌合穴２１を中心として１２０度になるように配置されている。この３個の位置ずれ防止凸部２７は、表面カバー２０をフレーム１０に取り付けたときに、フレーム１０の各位置ずれ防止凹部１５内に入り込み、表面カバー２０がフレーム１０に対して回転方向にずれることを防止する。
【００２８】
このように構成された表面カバー２０は、成形金型（図示せず）を用いて成形される。成形金型は、フレーム１０と略同形の外周面を備えた内面形成用の金型と、表面カバー２０の外表面の凹凸を反転させた状態の面を備えた外面形成用の金型とで構成される。そして、内面形成用の金型と外面形成用の金型とを組み合わせたときに、内面形成用の金型と外面形成用の金型との間に形成される空間に液状のエチレン−プロピレンゴムを流し込んだのちに固化することにより表面カバー２０が成形される。成形後に表面カバー２０を成形用金型から取り外す際には、外面形成用の金型を、成形された表面カバー２０から離すように移動させたのちに、表面カバー２０を引っ張って変形させながら内面形成用の金型から取り外す。
【００２９】
このとき、挟持部２５における薄肉部２５ａが形成された部分を後部水平方向から上方に反転させながら引っ張って表面カバー２０を内面形成用の金型から取り外す。薄肉部２５ａは、挟持部２５の他の部分よりも薄くなって伸びやすくなっているとともに、レイジング形成部２４と挟持部２５との連結部における内面は曲面に形成されている。このため、表面カバー２０を内面形成用の金型から取り外す際に、薄肉部２５ａを上方に反転させながら引っ張ってもレイジング形成部２４と挟持部２５との連結部に亀裂が生じることはない。これによって、表面カバー２０の成形不良を大幅に減少させることができる。
【００３０】
また、フレーム１０と表面カバー２０との組み付けは、係合溝部１３と係合突条２６、位置ずれ防止凹部１５と位置ずれ防止凸部２７、めくれ防止片部１９と係合凹部２５ｂ、位置ずれ防止凹部１９ａと位置ずれ防止凸部２５ｃをそれぞれ係合させ、フレーム１０の外周縁部をレイジング形成部２４と挟持部２５とで挟み込むことにより行われる。このとき、表面カバー２０の挟持部２５を引っ張って変形させながら組み付けが行われるが、挟持部２５を大きく変形させる場合には、その変形部分が薄肉部２５ａになるようにする。
【００３１】
これによって、表面カバー２０をフレーム１０に組み付ける際に、表面カバー２０に亀裂が生じることを防止できる。また、電子パッドＡの修理等を行う場合に、表面カバー２０をフレーム１０からめくる場合があるが、このときにも、挟持部２５の薄肉部２５ａ側から表面カバー２０をめくっていく。なお、挟持部２５の薄肉部２５ａは、上方に引っ張って反転したときにその反転した状態を維持できるように構成されている。また、表面カバー２０は、弾性を備えており、その収縮力によってもフレームに密着するように取り付けられる。
【００３２】
フレームの下面の一部は、裏面カバー２８で覆われている。裏面カバー２８は、フレーム１０よりも軟質のエチレン酢酸ビニル等の樹脂材料からなる成形体で構成されており、フレーム１０の下面中央に位置する中央部２８ａと中央部２８ａから外周側三方に一定角度を保って延びる３個の腕部２８ｂとで構成されている。この裏面カバー２８は、信号出力部１７、ピエゾセンサ１８および接続線１７ａを覆った状態でフレーム１０の下面に配置され複数のねじ２８ｃによってフレーム１０に固定されている。
【００３３】
支持部３０は、フレーム１０の貫通孔１１を貫通して電子パッドＡを支持する支持柱３１、支持柱３１の外周に取り付けられてフレーム１０の上面と下面とに配置された一対のフェルト部材３２ａ，３２ｂおよび支持柱３１の上端部に取り付けられた締付調節ねじ３３を備えている。支持柱３１は、金属製の棒で構成されており、シンバルスタンド（図示せず）の上部に設けられた回転支持部３４に連結されている。そして、支持柱３１の軸方向の略中央部に、下面が水平面で上面が上方に凸状になった凸曲面に形成されたフランジ状のフェルト支持部３１ａが形成されている。また、支持柱３１の上端部には、ねじ（図示せず）が形成されている。
【００３４】
一対のフェルト部材３２ａ，３２ｂは、多少の伸縮が可能な弾性を備えた部材で構成されており、ともに、やや軸方向の長さが長いリング状に形成されている。フェルト部材３２ａ，３２ｂは、軸方向の長さと内径は同じに設定されているが、外径はフェルト部材３２ａがフェルト部材３２ｂよりも大きくになっている。そして、一対のフェルト部材３２ａ，３２ｂのうちのフェルト部材３２ｂは、支持柱３１の外周におけるフェルト支持部３１ａとフレーム１０の被支持部１２との間に設置されている。
【００３５】
また、フェルト部材３２ａは、支持柱３１の外周における被支持部１２の上面に位置する部分に設置されている。そして、支持柱３１の上端に形成されたねじに締付調節ねじ３３が締結力を変更可能に螺合している。電子パッドＡは、揺動可能な状態で支持部３０に取り付けられており、締付調節ねじ３３の締結力を変更することにより、電子パッドＡの揺れ具合を調節することができる。また、支持柱３１の外周におけるフェルト支持部３１ａの下方には、フェルト支持部３１ａと間隔を保って、軸方向の長さが短い円筒状のピン支持部３５が固定されている。そして、このピン支持部３５の外周面における後部には、後方水平方向に延びたのちに屈曲して上方に延びるＬ形の回転防止ピン３５ａが連結されている。
【００３６】
回転防止ピン３５ａの上端部は、回転防止孔１１ａを貫通して、電子パッドＡの上面から突出しており、これによって、電子パッドＡは、支持柱３１の軸周り方向への回転を防止される。回転支持部３４は、図２および図８に示したように、操作片３６ａを備えたねじ軸部３６を介してシンバルスタンドに接続された基部３７に上下方向に回転可能に連結されている。このため、操作片３６ａの操作によりねじ軸部３６を緩めることにより回転支持部３４を介して支持柱３１の角度の調節ができ、操作片３６ａの操作によりねじ軸部３６を締めることにより、支持柱３１はその位置に固定される。
【００３７】
また、電子パッドＡの信号出力部１７は、配線によって音調節装置（図示せず）に接続されており、さらに音調節装置は、アンプやスピーカー等からなるサウンドシステムに接続されている。音調節装置は、ＣＰＵ，ＲＯＭ，ＲＡＭ、音源回路、効果回路等を備えている。ＲＯＭには、制御プログラムや各種のデータ等が記憶されており、ＲＡＭには、演奏データ等の各種の入力情報が一時的に記憶される。そして、ＣＰＵは、ＲＡＭに記憶された各種の入力情報に応じてＲＯＭに記憶された制御プログラムを実行する。
【００３８】
音源回路は、ＣＰＵの制御により、電子パッドＡから入力される検出信号による演奏データや予め設定された演奏データを楽音信号に変換して効果回路に出力し、効果回路は、音源回路から入力される楽音信号に効果を付与して、サウンドシステムに出力する。そして、サウンドシステムは、楽音信号を音に変換して発音する。この場合に、電子パッドＡから出力される検出信号は、シートセンサ１６、シートセンサ１６ａ，１６ｂおよびピエゾセンサ１８の検出によるものである。すなわち、演奏者がスティック等で電子パッドＡの打撃面を打撃すると、打撃面がその打撃に応じて振動する。
【００３９】
そして、その打撃面における打撃部分と打撃力の大きさに応じて、シートセンサ１６、シートセンサ１６ａ，１６ｂおよびピエゾセンサ１８が、打撃面から伝わる打撃力または打撃面の振動を検出する。電子パッドＡにおけるカップ表面部２２を打撃した場合には、シートセンサ１６が表面カバー２０および緩衝部材１４を介して伝わる打撃力を検出するとともに、ピエゾセンサ１８がフレーム１０の振動を検出する。ディンプル形成部２３を打撃した場合には、ピエゾセンサ１８だけがフレーム１０の振動を検出する。
【００４０】
また、レイジング形成部２４の前部から両側部に係る部分を打撃した場合には、シートセンサ１６ａが表面カバー２０を介して伝わる打撃力を検出するとともに、ピエゾセンサ１８がフレーム１０の振動を検出する。そして、レイジング形成部２４の後部を打撃した場合には、シートセンサ１６ｂが表面カバー２０を介して伝わる打撃力を検出するとともに、ピエゾセンサ１８がフレーム１０の振動を検出する。このように打撃される電子パッドＡにおける打撃面の打撃部分および打撃力の強弱等によって、それぞれ異なる音がサウンドシステムのスピーカーから発音される。
【００４１】
この場合、フレーム１０は、表面カバー２０を介して受ける打撃を打撃力または振動として、シートセンサ１６，１６ａ，１６ｂおよびピエゾセンサ１８に伝達するとともに、その打撃力を吸収して余分な振動を抑制する。また、表面カバー２０は、打撃の際の感触を良くするとともに、フレーム１０の振動を抑制して消音させる機能を有する。裏面カバー２８は打撃によって生じるフレーム１０の撓みに沿って変形しながらフレーム１０の振動を抑制する。さらに、電子パッドＡにおける周縁部のレイジング形成部２４と挟持部２５との部分を手で掴むことによりミュート操作ができる。これによって、フレーム１０の振動が吸収されて消音する。また、スピーカーに代えてヘッドホーンをサウンドシステムに含め、消音した状態でヘッドホーンからその音を聞くこともできる。
【００４２】
以上のように構成された電子パッドＡは、例えば、ドラムセットにシンバルとして組み込んで用いることができる。そして、ドラムセットに組み込まれた電子パッドＡを演奏する場合には、まず、操作片３６ａを操作することによりねじ軸部３６を緩めて支持柱３１の角度が略垂直になるように調節してねじ軸部３６を締める。ついで、締付調節ねじ３３の締結力を調節することにより、電子パッドＡの揺れ具合を調節する。これによって、電子パッドＡは略水平の状態になるとともに、打撃を受けたときに適度な角度で揺動するようになる。
【００４３】
そして、ドラムセットの前に椅子を置き、演奏者は、椅子に座った状態で、電子パッドＡ等をスティックで打撃することにより演奏することができる。この場合、電子パッドＡは、打撃される各部分や打撃力の強弱によって、発音する音を変化させることができるとともに、その音にさらに効果を付与することにより音を変化させることができる。すなわち、アコースティックのシンバルと同様の音を発生できるとともに、さらにその音をこもった音にしたり、高音の金属音にしたり種々の音色にして発生することができる。また、電子パッドＡはスティックで打撃されることにより、適度に揺動するが、回転防止ピン３５ａの上部が、回転防止孔１１ａを貫通して、電子パッドＡの上面から突出しているため、電子パッドＡが、支持柱３１の軸周り方向に回転してその回転方向の位置が変更することはない。
【００４４】
このように、本実施形態に係る電子パッドＡでは、表面カバー２０におけるフレーム１０の下面に回りこむ挟持部２５の後部側部分に薄肉部２５ａを形成している。したがって、表面カバー２０の成形時に、成形された表面カバー２０を内面形成用の金型から外すときに、薄肉部２５ａを引っ張って上方に反転させながら表面カバー２０をフレーム１０から取り外すことができる。そして、薄肉部２５ａは、伸びやすくなって、内面形成用の金型からめくり上げて反転したときに、反転した状態を維持できるように構成されている。
【００４５】
このため、表面カバー２０に裂けを生じさせることなく内面形成用の金型から取り外すことができるとともに、その操作が容易になる。また、表面カバー２０の挟持部２５における薄肉部２５ａ以外の部分は、十分な強度を備えた適正な厚みになっているとともに、その表面は滑らかな曲面に形成されている。このように、薄肉部２５ａが形成される部分が挟持部２５の一部であるため、演奏時にミュート操作をする場合には、電子パッドＡの前部側または左右両側の肉厚部分を掴むことにより演奏の感触を損ねることがなくなるとともに、表面カバー２０の強度も適度に維持できる。
【００４６】
また、フレーム１０の上面に、係合溝部１３と位置ずれ防止凹部１５とを設けて、係合溝部１３を表面カバー２０の係合突条２６に係合させるとともに、位置ずれ防止凹部１５を表面カバー２０の位置ずれ防止凸部２７に係合させている。さらに、フレーム１０の下面に、めくれ防止片部１９と位置ずれ防止凹部１９ａとを設けて、めくれ防止片部１９を表面カバー２０の係合凹部２５ｂに係合させるとともに、位置ずれ防止凹部１９ａを表面カバー２０の位置ずれ防止凸部２５ｃに係合させている。また、フレーム１０の外周縁部をレイジング形成部２４と挟持部２５とで挟み込んでいるとともに、表面カバー２０は、弾性による収縮力でフレーム１０に保持されている。
【００４７】
このため、表面カバー２０がフレーム１０に対して位置ずれをおこしたり、表面カバー２０がフレーム１０から剥がれてしまったりすることが防止される。また、めくれ防止片部１９と係合凹部２５ｂとの係合によって、表面カバー２０の終端部は、Ｌ字状のめくれ防止片部１９内に入り込んだ状態になり、これが電子パッドＡの全周にわたって形成されているため、表面カバー２０の終端部が物等に引っ掛かって表面カバー２０が捲れてしまうこともない。また、めくれ防止片部１９の下端面と挟持部２５の下面とは同じ高さの面で連なっているため、演奏者がこの部分を触ったときに違和感を生じさせることもない。
【００４８】
さらに、レイジング形成部２４と挟持部２５との連結部における内面は角部のない滑らかな曲面に形成されている。このため、表面カバー２０を内面形成用の金型から取り外す際や、表面カバー２０をフレーム１０に取り付ける際に、挟持部２５を引っ張って反転させても、表面カバー２０に亀裂が生じ難くなる。また、レイジング形成部２４を表面カバー２０の他の部分よりも薄肉にするとともに、レイジング形成部２４の下面に、シートセンサ１６ａ，１６ｂを押圧するための押圧用突部２４ａを形成したため、レイジング形成部２４とフレーム１０との間に空間部が形成される。
【００４９】
この空間部は、シートセンサ１６ａ，１６ｂを設置するために設けられるものであるが、電子パッドＡの修理等で、表面カバー２０をめくり上げる際に、レイジング形成部２４と挟持部２５との連結部内面が滑らかな曲面に形成されているとともに、この空間部が形成されていることで、表面カバー２０の内面に亀裂がさらに生じ難くなる。
【００５０】
また、本発明に係る電子パッドは、前述した実施形態に限定するものでなく技術的範囲で適宜変更実施が可能である。例えば、前述した実施形態では、電子パッドＡを電子シンバルとしているが、支持柱をパイプ状の部材で構成するとともに、この支持柱に、フットペダルの操作によりシンバルスタンドに対して上下に移動する移動軸を用いたハイハット形の電子シンバルに用いることもできる。この場合、電子パッドの下方にハイハットベースを設けるとともに、裏面カバーの中央側に、ハイハットベースに当接することによりオンになるスイッチを備えたハイハットアクチュエータを設ける。また、それ以外の各部分の構成や材料等についても本発明の技術的範囲内で適宜変更して実施することができる。
【図面の簡単な説明】
【００５１】
【図１】本発明の一実施形態に係る電子パッドが支持部に取り付けられた状態を示した平面図である。
【図２】図１に示した支持部に取り付けられた電子パッドの右側面図である。
【図３】図１に示した支持部に取り付けられた電子パッドの底面図である。
【図４】電子パッドが備えるフレームを示した平面図である。
【図５】電子パッドが備えるフレームを示した底面図である。
【図６】電子パッドが備える表面カバーを示した平面図である。
【図７】電子パッドが備える表面カバーを示した底面図である。
【図８】支持部に取り付けられた電子パッドを示した縦断面図である。
【図９】表面カバーの外周側部分を示した縦断面図である。
【符号の説明】
【００５２】
１０…フレーム、２０…表面カバー、２５…挟持部、２５ａ…薄肉部、Ａ…電子パッド。
【図１】
0005163089.tif 000002
【図２】
0005163089.tif 000003
【図３】
0005163089.tif 000004
【図４】
0005163089.tif 000005
【図５】
0005163089.tif 000006
【図６】
0005163089.tif 000007
【図７】
0005163089.tif 000008
【図８】
0005163089.tif 000009
【図９】
0005163089.tif 000010